【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
スマートカードに保存したデータへのアクセスを許可するシステムであって、
（ａ）少なくとも１つのスマートカードリーダーと、
（ｂ）以下の（ｉ）から（ｖ）を備えた少なくとも１つのスマートカードと、
（ｉ）オペレーティングシステムとデジタルコンテンツを保存するメモリ手段とを内蔵した少なくとも１つのＩＣチップ、
（ｉｉ）前記ＩＣチップに相互接続され、複数のＮ個のメッキ処理された電気入力接点（ＰＥＩＣ）よりなり、前記Ｎが１以上の整数であるインターフェース、
（ｉｉｉ）前記少なくとも１つのＩＣチップに設定され、情報処理及び情報呼出しを行うことが可能な少なくとも１つのオペレーティングシステム、
（ｉｖ）前記ＩＣチップに設定され、前記カードリーダーを用いて前記ＰＥＩＣに所定の電気入力シーケンスを入力することによって与えられた入力への応答信号を生成する少なくとも１つのエンコード演算式、および
（ｖ）エンドユーザーにデータの入力を促し、たとえば、相互接続されたキーパッドを用いて前記データの入力を可能にする少なくとも１つのヒューマンインターフェース、
（ｃ）前記メモリ手段に保存されたデジタルメディアコンテンツと
を含んでおり、
前記オペレーティングシステムは、予めロードされたコンテンツに対する試用期間アクセスと購入サービスアクセスとが提案されるように、デジタルメディアコンテンツに対する支払い処理とアクセス認証とを可能に構成されていることを特徴とするシステム。
【請求項２】
所定のシーケンスプログラムが、ＩＣチップを内蔵したプラスチックカードにアナログ形式でコード化されているか、またはＩＣチップを内蔵したプラスチックカードの表面の磁気ストライプにコード化されており、さらに、第一ＩＣチップを内蔵したプラスチックカードに埋め込んだ第二ＩＣチップにコード化されていることを特徴とする請求項１に記載のシステム。
【請求項３】
前記第二ＩＣチップが、ＲＦ周波数を用いてリーダーにより検出および通信され、
さらに、該第二ＩＣチップが、前記プラスチックカード上の該カードに内蔵した前記第一ＩＣチップとは反対側に対称に配置されるか、または前記第一ＩＣチップを内蔵する前記プラスチックカードの他面上に配置されていることを特徴とする請求項２に記載のシステム。
【請求項４】
前記デジタルコンテンツを符号化するか、またはコンテンツへの不正アクセスを防止する手段をさらに備えており、前記デジタルコンテンツが、音楽、ビデオ、電子ゲーム、電子ブック、電子マガジン、ソフトウェア、あるいは、これらの組み合わせからなる群から選択されることを特徴とする請求項１に記載のシステム。
【請求項５】
前記スマートカードリーダーに相互接続した情報中継リレー手段を更に備え、該リレー手段はリモートサーバーと双方向データ通信することを特徴とする請求項１に記載のシステム。
【請求項６】
スマートカードの使用認証および格納コンテンツへのアクセス許可によって、安全な支払いを確保すると共にデジタルコンテンツへのアクセスを認証する方法であって、
（ａ）スマートカードに格納されたメディアコンテンツの許可された修正を行うシステムを準備し、該システムが、
（ｉ）少なくとも１つのスマートカードリーダーと、
（ｉｉ）オペレーティングシステムおよびデジタルコンテンツを保存するメモリ手段を内蔵した少なくとも１つのＩＣチップと、前記ＩＣチップに相互接続され複数のＮ個のメッキ処理された電気入力接点（ＰＥＩＣ）よりなり、前記Ｎが１以上の整数であるインターフェースと、前記少なくとも１つのＩＣチップに設定され、情報処理及び情報呼出を行うことが可能な少なくとも１つのオペレーティングシステムと、前記ＩＣチップに設定され、前記カードリーダーを用いて前記ＰＥＩＣに所定の電気入力シーケンスを入力することによって与えられた入力への応答信号を生成する少なくとも１つのエンコード演算式とからなる少なくとも１つのスマートカードと、
（ｉｉｉ）前記メモリ手段に保存されるメディアコンテンツとからなり、更に、
（ｂ）前記装置を、前記スマートカードに内蔵したＩＣチップに対して読み書き可能なスマートカードリーダー装置に、前記チップに相互接続したＰＥＩＣを用いて接続し、
（ｃ）前記カードリーダーによって前記カードから得られた情報によって前記スマートカードを識別し、さらに本発明の好ましい実施形態においては、この識別データをリモートサーバーに転送し、
（ｄ）前記スマートカードリーダー装置に組み込まれた前記ヒューマンインターフェースによって所定コードの入力をエンドユーザーに促し、
（ｅ）コードシーケンスを、たとえば、前記カードリーダー装置に設けられたキーパッドを用いて入力し、
（ｆ）前記カードリーダーを用いて前記コードシーケンスを、前記チップに相互接続された前記ＰＥＩＣに与える電気コードシーケンスに変換し、
（ｇ）前記チップに設定された前記オペレーティングシステムによって、前記電気コードシーケンスを数値コードシーケンスに再度変換し、
（ｈ）前記数値コードシーケンスを前記チップに設定されたエンコード演算式に適用することによって前記数値コードシーケンスの応答を生成し、
（ｉ）前記応答を、たとえば、前記スマートカードにアナログ的もしくはデジタル的にエンコードしたローカルな格納情報と比較、または、当該格納情報で処理するか、または、前記リモートサーバーに保存された情報と比較、もしくは、当該情報で処理することによって認証し、
（ｊ）前記カードリーダーに組み込まれた前記ヒューマンインターフェース、あるいは、他の相互接続されたコンピュータ化された装置を用いて所要のサービスを特定し、
（ｋ）前記識別認証カードに対する前記特定サービスの有効性を確認し、
（ｌ）前記カードのＩＣチップの特定サービスを有効または無効にし、
（ｍ）前記カードにチャージしている預け金から直接的に、または、従来の銀行の自動引落としまたはクレジットサービスに相互接続することにより前記サービス料を差し引く
ことを特徴とする方法。
【請求項７】
スマートカードの使用認証および格納コンテンツへのアクセス許可によって、安全な支払いを確保すると共にデジタルコンテンツへのアクセスを認証する方法であって、
（ａ）安全な支払いの確保と共にデジタルコンテンツへのアクセスを認証するスマートカード装置を準備し、該スマートカード装置が、
（ｉ）オペレーティングシステムとメモリ手段を内蔵した少なくとも１つのＩＣチップと、
（ｉｉ）前記ＩＣチップに相互接続され複数のＮ個のメッキ処理された電気入力接点（ＰＥＩＣ）よりなり、前記Ｎが１以上の整数であるインターフェースと、
（ｉｉｉ）前記ＩＣチップに設定され、情報処理及び情報呼出しを行う少なくとも１つのオペレーティングシステムと、
（ｉｖ）前記ＩＣチップに設定され、カードリーダーを用いて前記ＰＥＩＣに所定の電気入力シーケンスを入力することによって与えられた入力応答信号を生成する少なくとも１つのエンコード演算式と、
（ｖ）エンドユーザーにデータの入力を促し、たとえば、相互接続されたキーパッドを用いて前記データの入力を可能にする少なくとも１つのヒューマンインターフェースとを備え、
（ｎ）前記装置を、前記スマートカードに内蔵したＩＣチップに対して読み書き可能なスマートカードリーダー装置に、前記チップに相互接続したＰＥＩＣを用いて接続し、
（ｏ）前記カードリーダーによって前記カードから得られた情報によって前記スマートカードを識別し、さらに本発明の好ましい実施形態においては、この識別データをリモートサーバーに転送し、
（ｐ）前記スマートカードリーダーに組み込まれた前記ヒューマンインターフェースによって所定コードの入力をエンドユーザーに促し、
（ｑ）コードシーケンスを、たとえば、前記カードリーダー装置に設けられたキーパッドを用いて入力し、
（ｒ）前記カードリーダーを用いて前記コードシーケンスを、前記チップに相互接続された前記ＰＥＩＣに与える電気コードシーケンスに変換し、
（ｓ）前記チップに設定された前記オペレーティングシステムによって、前記電気コードシーケンスを数値コードシーケンスに再度変換し、
（ｔ）前記数値コードシーケンスを前記チップに設定されたエンコード演算式に適用することによって前記数値コードシーケンスの応答を生成し、
（ｕ）前記応答を、たとえば、前記スマートカードにアナログ的もしくはデジタル的にエンコードしたローカルな格納情報と比較、または、当該格納情報で処理するか、または、前記リモートサーバーに保存された情報と比較、もしくは、当該情報で処理することによって認証し、
（ｖ）前記カードリーダーに組み込まれた前記ヒューマンインターフェース、あるいは、他の相互接続されたコンピュータ化された装置を用いて所要のサービスを特定し、
（ｗ）前記識別認証カードに対する前記特定サービスの有効性を確認し、
（ｘ）前記カードのＩＣチップの特定サービスを有効または無効にし、
（ｙ）前記カードにチャージしている預け金から直接的に、または、従来の銀行の自動引落としまたはクレジットサービスに相互接続することにより前記サービス料を差し引く
ことを特徴とする方法。
【請求項８】
正しい電気入力シーケンスの逸失により、支払い処理に対してまたはデジタルコンテンツの保存もしくはアクセスに対してカードを無効にし、該カードの無効化が、前記ＩＣチップのオペレーティングシステムを含むチップ全体を初期化するようプログラムするか、前記チップに保存されたデータを消去するよう前記チップのオペレーティングシステムをプログラムするか、または、前記ＩＣチップに保存されたアクセス許可コードを消去するよう前記ＩＣチップのオペレーティングシステムをプログラムするものであることを特徴とする請求項７に記載の方法。
【請求項９】
アクセス開始日の記録およびアクセス認証期間に対して前記入力シーケンスの有効性を確認することでカードのコンテンツにアクセスできる期間の制限を行うと共に、ユーザーが独自の許可コードシーケンスを忘れた場合にカードプロバイダーからのシーケンスを取り込んでカードを利用可能に再許可することを特徴とする請求項６から８のいずれか１項に記載の方法。
【請求項１０】
シーケンスをサービスプロバイダーから入手した後にカードリーダーを用いてローカルに入力するか、シーケンスをカードのプロバイダーによってリモートに入力するか、または入力シーケンスがローカルおよびリモートに与えられた入力の組み合わせであることを特徴とする請求項９に記載の方法。
【請求項１１】
電気入力信号の正しいシーケンスの認証を、ＩＣチップを含むプラスチックカードに形成されたアナログ情報の刻印をカードリーダーで読み取ったデータとの比較によって行うか、または、ＩＣチップを含むプラスチックカードに形成された磁気ストライプからカードリーダーで読み取ったデータとの比較によって行うことを特徴とする請求項７に記載の方法。
【請求項１２】
第一ＩＣチップを含むプラスチックカードに埋め込まれた第二ＩＣチップからカードリーダーで読み取ったデータとの比較によって電気入力信号の正しいシーケンスの認証を行い、さらに、ＲＦ周波数を用いて第二チップを前記リーダーで検出および交信することを特徴とする請求項７に記載の方法。
【請求項１３】
第二ＩＣチップを、第一ＩＣチップを内蔵したプラスチックカードのカード反対側端部に対称に配置し、認証するためにカードリーダーがユーザーにカードを逆にするよう促すようにしたことを特徴とする請求項１１または１２に記載の方法。
【請求項１４】
第一ＩＣチップを内蔵したプラスチックカードの裏面に第二ＩＣチップを対称に配置し、認証するためにカードリーダーがユーザーにカードを裏返すよう促すようにしたことを特徴とする請求項１２または１３に記載の方法。
【請求項１５】
カードに設けた２つの独立したデータ記憶手段のデータを一致させることでスマートカードを無効にし、前記スマートカードに格納したコンテンツへのアクセスを無効にすることを特徴とする方法。
【請求項１６】
カードの無効処理を、２つの独立した記憶手段に格納したデータと、カードリーダーのインターフェースを介してローカルに入力したデータを組み合わせるか、２つの独立した記憶手段に格納したデータと、ネットワークに接続されたカードリーダーを介してリモートに入力したデータとを組み合わせるか、または、２つの独立した記憶手段に格納したデータと、カードリーダーのインターフェースを介してローカルに入力したデータと、ネットワークに接続されたカードリーダーを介してリモートに入力したデータとを組み合わせて判定して実行することを特徴とする請求項１５に記載の方法。
【請求項１７】
（ａ）ユーザー固有の前納購入クレジットを設定する処理、
（ｂ）前納購入クレジットのデータをメモリ手段にロードする処理、および
（ｃ）前記前納購入クレジットのデータをリモートサーバーに保存する処理
をさらに備えたことを特徴とする請求項７に記載の方法。
【請求項１８】
解除コードを与えた上で前記前納購入クレジットから料金を差し引く処理、前記コードシーケンスを交信して、前記前納購入クレジットから料金を差し引く処理、複数の前記コードシーケンスへの無制限のアクセスと引換えに前記前納購入クレジットから定額料金を差し引く処理、および、制限アクセスを解除した上で前記前納購入クレジットから料金を差し引く処理の群から選択された処理をさらに備えたことを特徴とする請求項１７に記載の方法。